(57)【要約】【課題】この発明の目的は、利用者が歯科医院に通院することなく気軽にウ蝕、歯周病、審美の相談を行うことができ、利用者自らが口腔内カメラ等を使用することや取得データをもとに質問することで理解を深め、予防・審美の知識を高めることにある。【解決手段】この発明は、利用者のプライバシーが保てる空間を備え、この空間において、利用者のニーズに合わせた歯科情報提供、口腔衛生指導、歯科医院の予約を行うことを特徴とし、また、利用者のプライバシーが保てる空間を備えたデンタルコミュニケーションブースに双方向通信可能なコミュニケーションツールを設け、このコミュニケーションツールの他方を接続される管理センターを設け、この管理センターは利用者が必要とする歯科情報提供及び口腔衛生指導をコミュニケーションツールとの間で双方向通信によりやりとりし、さらに歯科医院の予約を行う機能を備えていることを特徴とする。【選択図】図１
2006126996.tif 000002
【特許請求の範囲】
【請求項１】
利用者のプライバシーが保てる環境状態を提供できる空間を備え、この空間において、利用者のニーズに合わせた歯科情報提供、口腔衛生指導、歯科医院の予約を行うことを特徴とするデンタルコミュニケーションブース。
【請求項２】
利用者のプライバシーが保てる環境状態を提供できる空間を備えたデンタルコミュニケーションブースを設け、このデンタルコミュニケーションブースに双方向通信可能なコミュニケーションツールを設け、このコミュニケーションツールの他方を接続される管理センターを設け、この管理センターは利用者が必要とする歯科情報提供及び口腔衛生指導を前記コミュニケーションツールとの間で双方向通信によりやりとりし、さらに歯科医院の予約を行う機能を備えていることを特徴とするデンタルコミュニケーションシステム。
【請求項３】
前記コミュニケーションツールによりデンタルコミュニケーションブースと通信可能な管理センターは、デンタルコミュニケーションブースから通信してくる利用者のデータを基に歯科情報提供、口腔衛生指導、歯科医院の予約を行い、及び／または、管理センターに常駐する医師により利用者のデータに対してリアルタイムに対応させ、さらに、管理センターに医師が不在の場合は管理センターと提携した歯科医院もしくは歯科医師に自動接続させ、利用者に対して的確に対応する機能を備えていることを特徴とする請求項２に記載のデンタルコミュニケーションシステム。
【請求項４】
前記管理センターは、デンタルコミュニケーションブースが設置された歯科医院内に設置し、デンタルコミュニケーションブースと一対一の関係で情報交換を行う機能を備えていることを特徴とする請求項２乃至請求項３のいずれか１項に記載のデンタルコミュニケーションシステム。
【請求項５】
前記双方向通信可能なコミュニケーションツールは、リアルタイムに管理センターと情報交換を行う通信手段を備えていることを特徴とする請求項２乃至請求項４のいずれか１項に記載のデンタルコミュニケーションシステム。
【請求項６】
前記管理センターは、デンタルコミュニケーションブースの空間において、コミュニケーションツールを介して歯科情報提供及び口腔衛生指導としてブラッシング指導を行う機能を備えていることを特徴とする請求項２乃至請求項５のいずれか１項に記載のデンタルコミュニケーションシステム。
【請求項７】
前記管理センターは、デンタルコミュニケーションブースの空間に利用者自身が操作することが可能な口腔内カメラを設置し、この口腔内カメラからの取得画像を元に、歯科情報提供及び口腔衛生指導を受けられることを特徴とする請求項２乃至請求項６のいずれか１項に記載のデンタルコミュニケーションシステム。
【請求項８】
前記管理センターは、前記口腔内カメラからの取得画像を元に、歯科情報提供及び口腔衛生指導として、歯列チェック、歯牙の着色状態チェック、磨き残しチェック、口臭チェックを行う機能を備えていることを特徴とする請求項７に記載のデンタルコミュニケーションシステム。
【請求項９】
前記管理センターは、利用者がデンタルコミュニケーションブースに入場したことを検出することで、ブース紹介を自動再生してシステム紹介を行う機能を備えていることを特徴とする請求項１乃至請求項２のいずれか１項に記載のデンタルコミュニケーションシステム。
【請求項１０】
前記デンタルコミュニケーションブースは、空間内で歯磨きが行えるように、うがい用水洗、鉢、鏡、歯ブラシ、歯磨き粉、うがい用コップを備えていることを特徴とする請求項１乃至請求項２のいずれか１項に記載のデンタルコミュニケーションブース。
【請求項１１】
前記デンタルコミュニケーションブースは、歯ブラシ及び／又は歯磨き粉を現金、もしくは、金額を記録した記録媒体で購入可能な販売機を設けていることを特徴とする請求項１乃至請求項２のいずれか１項に記載のデンタルコミュニケーションブース。
【請求項１２】
前記管理センターは、デンタルコミュニケーションブース入場時に利用者が予め購入した記録媒体による認証を要求することにより、入退出規制をかける機能を備えていることを特徴とする請求項１乃至請求項２のいずれか１項に記載のデンタルコミュニケーションシステム。
【請求項１３】
前記管理センターは、記録媒体の認証によりデンタルコミュニケーションブースの空間内において利用者による歯科情報提供、口腔衛生指導、歯科医院の予約の操作を許可し、なおかつ、記録媒体、および／または、該デンタルコミュニケーションブース内の記録媒体や管理センターの記録媒体に取得情報を記録する機能を備えていることを特徴とする請求項１２に記載のデンタルコミュニケーションシステム。
【請求項１４】
前記管理センターは、利用者がデンタルコミュニケーションブースの空間内で収集したデータを記録させた記録媒体を対応施設に持参することで、収集したデータ内容を該持参した記録媒体から読み出し、認証及び利用者自身のデータを提供することが可能であり、なおかつ該デンタルコミュニケーションブース内の記録媒体や管理センターの記録媒体に記録した収集データを持参した記録媒体で認証を行うことで該デンタルコミュニケーションブース内の記録媒体や管理センターの記録媒体から読み出し、認証及び利用者自身のデータを提供する機能を備えていることを特徴とする請求項１２に記載のデンタルコミュニケーションシステム。
【請求項１５】
前記デンタルコミュニケーションブースは、歯科医院内、及び／または、その近傍に設置することを特徴とする請求項１乃至請求項２のいずれか１項に記載のデンタルコミュニケーションブース。
【請求項１６】
前記デンタルコミュニケーションブースは、公共施設内、飲食店内に設置することを特徴とする請求項１乃至請求項２のいずれか１項に記載のデンタルコミュニケーションブース。
【請求項１７】
前記デンタルコミュニケーションブースには、口腔衛生指導照明装置、芳香発生装置、マイナスイオン発生装置を設置したことを特徴とする請求項１乃至請求項２のいずれか１項に記載のデンタルコミュニケーションブース。
【発明の詳細な説明】
【技術分野】
【０００１】
本発明は、利用者が歯科医院に通院することなく気軽にウ蝕、歯周病、審美の相談を行うことができ、さらには利用者自身の口腔内現状や予防・審美方法を医師の一方的な説明によって理解させられるのではなく、利用者自らが口腔内カメラ等を使用することや、取得データをもとに質問することで理解を深め、なおかつ、予防・審美の知識を高めることができるデンタルコミュニケーションブース及びシステムに関するものである。
【背景技術】
【０００２】
歯科診療においては、インフォームドコンセントが普及してきているものの、患者自身が気になる症状や診断箇所を的確に医師に伝えることが難しい。また、医師は、患者からの症状説明から判断して診療を行うため、医師の一方通行的な診断・治療及び説明となっていることがある。
【０００３】
また、医科分野では、定期健診を年に１回採用している会社も多く、早期発見、早期治療が浸透しているが、歯科分野での定期健診はまだ浸透しておらず、歯科医院に通院しなければ患者が気になっている症状についての説明を受けられない。このため、患者は、症状が軽いうちに通院せずに、痛みがひどくなった場合など重い症状にならなければ通院しないということがある。
【０００４】
口腔衛生としては、食後の歯磨きが推奨されているが、自宅外において、人目を気にせずに歯磨きを行える場所が少なく、また、水場があったとしても設備や衛生面で不十分な問題があった。
【０００５】
このような問題に対しては、歯磨きの場所や道具を提供し、また、その歯磨きに使用する道具を個人専用として預託・管理するサービスを提供することよにり、公共の場や飲食店内のトイレなどを利用することなく、歯磨きを行えるサービス方法が提案されている。
【特許文献１】特開２００４−９７４４５号
【発明の開示】
【発明が解決しようとする課題】
【０００６】
ところが、前記のような医師の一方通行的な診断・治療及び説明では、患者は充分に理解ができず、不満足を感じてしまう問題がある。また、患者は、痛み等があるときに初めて歯科医院に通院するのが現状である。
【０００７】
また、歯科医院を嫌がる人でも、自分の口腔内に何らかの疾患があると認識している人が多く、さらに予防のできる歯科医院があったら積極的に通院するという意見も多くあげられる。
【０００８】
しかし、現状では、患者自身の希望する診療内容を提供する歯科医院情報を収集する手段が少なく、また、患者にあった歯科医院を見つけられても、医師の一方的な診断や治療が行われてしまうことも少なくない。
【課題を解決するための手段】
【０００９】
本発明は、利用者のプライバシーが保てる環境状態を提供できる空間を備え、この空間において、利用者のニーズに合わせた歯科情報提供、口腔衛生指導、歯科医院の予約を行うことを特徴とする。
また、本発明は、利用者のプライバシーが保てる環境状態を提供できる空間を備えたデンタルコミュニケーションブースを設け、このデンタルコミュニケーションブースに双方向通信可能なコミュニケーションツールを設け、このコミュニケーションツールの他方を接続される管理センターを設け、この管理センターは利用者が必要とする歯科情報提供及び口腔衛生指導を前記コミュニケーションツールとの間で双方向通信によりやりとりし、さらに歯科医院の予約を行う機能を備えていることを特徴とする。
【発明の効果】
【００１０】
本発明のデンタルコミュニケーションブース及びシステムは、利用者のプライバシーが保てる空間を利用して、歯科医院に通院することなく気軽にウ蝕、歯周病、審美の相談を行うことができ、さらには利用者自身の口腔内現状や予防・審美方法を医師の一方的な説明によって理解させられるのではなく、利用者自らが口腔内カメラ等を使用することや、取得データをもとに質問することで理解を深め、なおかつ、予防・審美の知識を高めることができる。
【発明を実施するための最良の形態】
【００１１】
本発明は、デンタルコミュニケーションブースの空間において、利用者のニーズに合わせた歯科情報提供、口腔衛生指導、歯科医院の予約を行うものであり、歯科医院に通院することなく、患者自身が口腔内の気になる疾患に対して質問したり、口腔内カメラによる診断を行うことで、気軽にウ触や歯周病の相談を行うことが可能であり、さらに口腔ケアの知識向上、予防・審美歯科に対する意識付けを行うことを可能にする。
以下、図面に基づいて、この発明の実施例を説明する。
【実施例】
【００１２】
図１〜図１３は、本発明の実施例を示すものである。図１・図２において、２はデンタルコミュニケーションブース（以下、「ブース」と記す。）、４は歯科医院である。ブース２は、歯科医院４内、及び／または、その近傍に設置される。この実施例においては、ブース２を歯科医院４内に設置した場合を説明する。
【００１３】
ブース２は、床６と天井８と周壁１０と入口１２を開閉可能な扉１４とにより、利用者のプライバシーが保てる環境状態を提供できる空間１６を備えている。ブース２は、図１のように全体を覆い隠すタイプの他、図３・図４のようにパーティション１８・２０で区切るタイプ、部屋として孤立させるタイプ（図示せず）など、プライバシーが保たれる空間１６を造ることが可能であれば、作り出す方法は上記に限定されない。
【００１４】
さらに、ブース２を歯科医院４内に設置する場合には、ブース専用の入口２２を設け、歯科医院４に通院してくる患者の通院専用の入口２４と分け、歯科医院４内の受付を通ることなくブース２を気軽に利用することができるように設置する。
【００１５】
ブース２内には、空間１６内で歯磨きが行えるように、図６に示す如く、うがい用水洗２６、鉢２８、鏡（ハーフミラー）３０、歯磨きセット３２の販売機３４、うがい用水洗２６により給水されるうがい用コップ３６の供給機３８を備え、また、図１に示す如く、ゴミ箱４０、椅子４２を設置している。
【００１６】
前記歯磨きセット３２は、図５に示す如く、手鏡４４を備えた収納本体４６と、収納本体４６の収納孔４８・５０に収納できる歯ブラシ５２及び歯磨き粉５４と、歯ブラシ５２及び歯磨き粉５４を覆うように収納本体４６に嵌合される透明な蓋体５６とからなる。歯磨きセット３２は、販売機３４内に収納され、現金、もしくは、後述する金額を記録した記録媒体（ＩＣチップ）により購入可能となっている。
【００１７】
これにより、利用者は、ブース２のプライバシーが保てる空間１６において、持参した歯ブラシ（図示せず）、あるいは購入した歯磨きセット３２によって、歯磨きを行うことができる。なお、ブース２には、図示しない口腔衛生指導照明装置、芳香発生装置、マイナスイオン発生装置を設置することができる。
【００１８】
このデンタルコミュニケーションブース２は、利用者のプライバシーが保てる環境状態を提供できる空間１６を備え、この空間１６において、利用者のニーズに合わせた歯科情報提供、口腔衛生指導、歯科医院の予約を行うものであり、図７に示す如く、デンタルコミュニケーションシステム５８を設けている。
【００１９】
デンタルコミュニケーションシステム５８は、ブース２に双方向通信可能なコミュニケーションツール６０を設け、このコミュニケーションツール６０の他方が接続される管理センター６２を設けている。コミュニケーションツール６０と管理センター６２とは、電気通信回線６４を介して接続している。
【００２０】
コミュニケーションツール６０は、図６に示す如く、タッチパネルとしもて機能する情報表示用のモニター６６や鏡（ハーフミラー）の裏側に設置した顔画像取得用のカメラ６８、キーボード等の入力装置７０、マイク及びスピーカ等の音声装置７２、図示しない通信機器をブース２の空間１６内に設置している。また、ブース２には、口腔内カメラ７４と口臭チェッカー７６とプリンタ７８を設置している。双方向通信可能なコミュニケーションツール６０は、リアルタイムに管理センター６２と情報交換を行う通信手段として、テレビ電話、電話、インターネット、ＬＡＮ、インターフォンを備えている。
【００２１】
管理センター６２は、ブース２が設置された歯科医院４内に設置し、ブース２に入場した利用者とコミュニケーションツール６０により一対一の関係で情報交換を行う機能を備えている。管理センター６２は、利用者が必要とする歯科情報提供及び口腔衛生指導をコミュニケーションツール６０との間で双方向通信によりやりとりし、さらに歯科医院４の予約を行う機能を備えている。
【００２２】
コミュニケーションツール６０によりブース２と通信可能な管理センター６２は、ブース２から通信してくる利用者のデータを基に歯科情報提供（歯科医院４の紹介を含む）、口腔衛生指導、歯科医院４の予約を行い、及び／または、管理センター６２に常駐する医師により利用者のデータに対してリアルタイムに対応させ、さらに、管理センター６２に医師が不在の場合は管理センター６２と提携した歯科医院４もしくは歯科医師に自動接続させ、利用者に対して的確に対応する機能を備えている。
【００２３】
管理センター６２は、ブース２の空間１６において、コミュニケーションツール６０を介して歯科情報提供及び口腔衛生指導としてブラッシング指導を行う機能を備えている。管理センター６２は、ブース２の空間１６に利用者自身が操作することが可能な口腔内カメラ７４を設置し、この口腔内カメラ７４からの取得画像を元に、歯科情報提供及び口腔衛生指導として、歯科診断を行う機能を備え、さらに、歯列チェック、歯牙の着色状態チェック、磨き残しチェックを行う機能を備え、口臭チェッカー７６の検出結果に基づき口臭チェックを行う機能を備えている。
【００２４】
また、管理センター６２は、利用者がブース２に入場したことを、扉１４の開閉や顔画像取得用のカメラ６８の取得画像、床６に設置した圧力センサ（図示せず）の出力信号等から検出することで、情報表示用のモニター６６にブース紹介を自動再生してシステム紹介を行う機能を備え、ブース入場時に利用者が予め購入したＩＣチップ等の記録媒体をブース２内の記録媒体受付機（図示せず）に挿入させて認証を要求することにより、入退出規制をかける機能を備えている。
【００２５】
さらに、管理センター６２は、記録媒体の認証によりブース２の空間１６内において利用者による歯科情報提供、口腔衛生指導、歯科医院４の予約の操作を許可し、なおかつ、記録媒体、および／または、ブース２内の記録媒体や管理センター６２の記録媒体に取得情報を記録する機能を備えている。
【００２６】
さらにまた、管理センター６２は、利用者がブース２の空間１６内で収集したデータを記録させた記録媒体を対応施設に持参することで、収集したデータ内容を持参した記録媒体から読み出し、認証及び利用者自身のデータを提供することが可能であり、なおかつブース２内の記録媒体や管理センター６２の記録媒体に記録した収集データを持参した記録媒体で認証を行うことでブース２内の記録媒体や管理センター６２の記録媒体から読み出し、認証及び利用者自身のデータを提供する機能を備えている。
【００２７】
次に、デンタルコミュニケーションシステム５８による制御を説明する。
【００２８】
デンタルコミュニケーションシステム５８は、図８に示す如く、制御がスタートすると（１０２）、ブース２に利用者が入場したか否かを判断する（１０４）。
【００２９】
この判断（１０４）がＮＯの場合は、この判断を繰り返す。この判断（１０４）がＹＥＳの場合は、モニター６６にメニュー画面（図示せず）を表示させて映像及び音声によりブース紹介を自動再生してシステム紹介を行い（１０６）、記録媒体（ＩＣチップ）の入力があったか否かを判断する（１０８）。
【００３０】
この判断（１０８）がＮＯの場合は、メニュー画面の表示（１０６）に戻る。この判断（１０８）がＹＥＳの場合は、タッチパネルからなるモニター６６のメニュー画面に表示されるどのタッチスイッチがＯＮされたか否かを判断する（１１０）。
【００３１】
この判断（１１０）がＮＯの場合は、この判断を繰り返す。この判断（１１０）がＹＥＳの場合は、ＯＮになったタッチスイッチが白さチェックか否かを判断する（１１２）。
【００３２】
この判断（１１２）がＹＥＳの場合は、口腔内カメラ７４をＯＮし（１１４）、ＬＩＶＥ映像をモニター６６に表示し（１１６）、シャッターがＯＮされたか否かを判断する（１１８）。
【００３３】
この判断（１１８）がＮＯの場合は、この判断を繰り返す。この判断（１１８）がＹＥＳの場合は、口腔内カメラ７４の記録画像をモニター６６に表示し（１２０）、記録画像のどの歯が診断ポイントとしてタッチされたか判断する（１２２）。
【００３４】
この判断（１２２）がＮＯの場合は、この判断を繰り返す。この判断（１２２）がＹＥＳの場合は、記録画像のタッチ部位の色を抽出し（１２４）、色レベルの評価をし（１２６）、印刷するか否かを判断する（１２８）。
【００３５】
この判断（１２８）がＹＥＳの場合は、プリンタ７８により印刷し（１３０）、個人データに保存する（１３２）。この判断（１２８）がＮＯの場合は、個人データに保存する（１３２）。個人データの保存（１３２）後に、終了か否かを判断する（１３４）。
【００３６】
この判断（１３４）がＮＯの場合は、タッチスイッチがＯＮされたか否かの判断（１１０）に戻る。この判断（１３４）がＹＥＳの場合は、スタート（１０２）に戻り、終了する（１３６）。
【００３７】
一方、前記白さチェックの判断（１１２）がＮＯの場合は、図９に示す如く、ＯＮになったタッチスイッチがブラッシング指導の要求か否かを判断する（１３８）。
【００３８】
この判断（１３８）がＹＥＳの場合は、ブラッシング指導の映像を表示し（１４０）、終了か否かの判断（１３４）に戻る。この判断（１３８）がＮＯの場合は、ＯＮになったタッチスイッチが口腔内カメラ７４か否かを判断する（１４２）。
【００３９】
この判断（１４２）がＹＥＳの場合は、口腔内カメラ７４をＯＮし（１４４）、ＬＩＶＥ映像をモニター６６に表示し（１４６）、シャッターがＯＮされたか否かを判断する（１４８）。
【００４０】
この判断（１４８）がＮＯの場合は、この判断を繰り返す。この判断（１４８）がＹＥＳの場合は、口腔内カメラ７４の記録画像をモニター６６に表示し（１５０）、印刷の判断（１２８）に戻る。
【００４１】
前記口腔内カメラ７４の判断（１４２）がＮＯの場合は、ＯＮになったタッチスイッチが歯科医院４の予約か否かを判断する（１５２）。
【００４２】
この判断（１５２）がＹＥＳの場合は、予約情報を抽出し（１５４）、予約情報をモニター６６に表示し（１５６）、予約を入力装置７０により入力させ（１５８）、入力がＯＫか否かを判断する（１６０）。
【００４３】
この判断（１６０）がＮＯの場合は、予約情報の抽出（１５４）に戻る。この判断（１６０）がＹＥＳの場合は、確認表示をし（１６２）、印刷の判断（１２８）に戻る。
【００４４】
前記歯科医院４の予約の判断（１５２）がＮＯの場合は、ＯＮになったタッチスイッチが口臭チェックか否かを判断する（１６４）。
【００４５】
この判断（１６４）がＹＥＳの場合は、口臭チェッカー７６をＯＮし（１６６）、チェックが完了したか否かを判断する（１６８）。
【００４６】
この判断（１６８）がＮＯの場合は、この判断を繰り返す。この判断（１６８）がＹＥＳの場合は、口臭チェックの結果をモニター６６に表示し（１７０）、印刷の判断（１２８）に戻る。
【００４７】
前記口臭チェックの判断（１６４）がＮＯの場合は、図１０に示す如く、ＯＮになったタッチスイッチが管理センター６２の呼び出しか否かを判断する（１７２）。
【００４８】
この判断（１７２）がＮＯの場合は、終了の判断（１３４）に戻る。この判断（１７２）がＹＥＳの場合は、テレビ電話（図示せず）による呼び出しか否かを判断する（１７４）。
【００４９】
この判断（１７４）がＹＥＳの場合は、テレビ電話による通話を行い（１７６）、ＴＶ電話による通信がＯＦＦになったか否かを判断する（１７８）。
【００５０】
この判断（１７８）がＮＯの場合は、テレビ電話の通話（１７６）に戻る。この判断（１７８）がＹＥＳの場合は、終了の判断（１３４）に戻る。
【００５１】
前記ＴＶ電話の呼び出しの判断（１７４）がＮＯの場合は、質問ありか否かを判断する（１８０）。この判断（１８０）がＹＥＳの場合は、質問事項を入力装置７０により入力させ（１８２）、個人データを抽出し（１８４）、管理センター６２に送信する（１８６）。
【００５２】
前記質問ありの判断（１８０）がＮＯの場合は、回答を受信したか否かを判断する（１８８）。この判断（１８８）がＹＥＳの場合は、回答をモニター６６に表示し（１９０）、印刷の判断（１２８）に戻る。この判断（１８８）がＮＯの場合は、その他のオプションの要求か否かを判断する（１９２）。
【００５３】
この判断（１９２）がＹＥＳの場合は、その他のオプションを実施し（１９４）、終了の判断（１３４）に戻る。この判断（１９２）がＮＯの場合は、印刷の判断（１２８）に戻る。
【００５４】
このように、このデンタルコミュニケーションシステム５８は、利用者のニーズに応じて、白さチェックやブラッシング指導、口腔内カメラ７４によるデータ取得、歯科医院４の予約、口臭チェックを行うものである。
【００５５】
例えば、歯の白さチェックの場合は、図１１に示す如く、モニター６６に表示される撮影ボタン８０を利用者が押すと、口腔内カメラ７４により歯が撮影され、カメラ撮影画像ウインドウ８２に記録画像が表示される。利用者がカメラ撮影画像ウインドウ８２に表示される記録画像の任意の歯に触ると、触られた部位の歯の色を抽出し、抽出された歯の色と見本の色とを比較して、評価を歯列ウインドウ８４と色ウインドウ８６とに表示し、利用者に見せる。評価は、プリンタ７８によって印刷することができる。なお、図１１において、符号８８は終了ボタン、符号９０はスタッフ呼出ボタンである。
【００５６】
これにより、このデンタルコミュニケーションブース２及びデンタルコミュニケーションシステム５８は、以下のように構成される。
【００５７】
（１）、プライバシーが保てる空間１６を備えたブース２を、歯科医院４内に設置する。ブース２は、ボックスのように全体を覆い隠すタイプの他、パーティションで区切るタイプ、部屋として孤立させるタイプなど、プライバシーが保たれる空間１６を造ることが可能であれば、作り出す方法は上記に限定されない。
さらに、ブース２を歯科医院４内に設置する場合には、歯科医院４に通院してくる患者と入口を分け、歯科医院４内の受付を通ることなくブース２を気軽に利用することができるように設置する。
【００５８】
（２）、ブース２内には、
（ａ）システム紹介を行うモニター６６等の設備
（ｂ）歯磨きが行えるよう、うがい用水洗２６等の設備
（ｃ）口腔内カメラ７４
（ｄ）口臭チェックを行える口臭チェッカー７６
（ｅ）口腔内全体を撮影できるカメラ
（ｆ）歯科医院４を予約できるシステム
（ｇ）管理センター６２を直接呼び出せる機能
（ｈ）歯科に対する疑問点等を質問し、回答をもらえるシステム
（ｉ）ブラッシング指導のシステム
、を装備している。
【００５９】
前記（ａ）デンタルコミュニケーションシステム５８の紹介を行う映像案内を表示し、及び／または、音声案内を流す設備は、
・利用者がブース２内に入ると、自動的に音声案内、映像案内を行う
・映像案内は、ブース２内に設置してあるモニター６６において上映
・モニター６６は、洗面台の近傍に設置することが可能
・モニター６６は、ブース紹介映像を上映するほか、口腔内カメラ７４の画像を映し出すことも可能であり、さらに、管理センター６２との情報通信手段としても利用することが可能
である。
【００６０】
前記（ｂ）歯磨きが行えるよう、うがい用水洗２６、鉢２８、鏡３０、うがい用コップ３６、ゴミ箱４０、歯ブラシ５２、歯磨き粉５４等の設備は、
・歯ブラシ５２、歯磨き粉５４等は、販売機で販売することが可能
・歯ブラシ５２、歯磨き粉５４、手鏡４４を一体にした歯磨きセット３２は、販売機３４で購入することも可能
・うがい用コップ３６は、紙コップにすることで、使い捨て可能且つ衛生的
・歯ブラシ５２は、多種製品を販売することが可能。さらに、歯磨き粉５４は、１回の使いきりタイプにし、多種製品を揃え、実際に試した後で、大きいサイズの製品を購入可能
である。
【００６１】
前記（ｃ）口腔内カメラ７４は、
・利用者自身が自由に操作が可能
・口腔内カメラ７４を使用するときには、使い捨てのカバーをカメラにセットしてから使用することで衛生的
・口腔内カメラ７４の画像は、モニター６６に瞬時に映し出され、その場で利用者自身が口腔内を確認可能
・映し出された画像を記録媒体に保存することが可能であり、また、記録画像をその場でプリンタ７８により印刷し、電気通信回線６４を利用して管理センター６２へ送信することも可能
・さらに、保存した利用者の口腔内画像を、ブース２と提携している歯科医院４で読み出すことが可能
である。
【００６２】
前記（ｄ）口臭チェッカー７６は、
・口臭チェックの結果をその場で印刷することが可能
・口臭チェックの結果を管理センター６２へ送信することも可能
・口臭チェックの結果を記録媒体に保存し、ブース２と提携している歯科医院４で記録媒体内に保存されたデータを読み取ることが可能
である。
【００６３】
前記（ｅ）口腔内全体を撮影できるカメラ（ブラッシング指導・歯列チェック・歯牙着色チェック）は、
・記録画像を管理センター６２へ送信することで、管理センター６２に常駐の医師・衛生士、もしくは映像によって、ブラッシング指導をモニター６６を通して行える
・記録画像から利用者自身の歯牙の色を自動判断、もしくは管理センター６２に常駐の医師・衛生士によって判断することができ、ホワイトニングヘの認識を高めることが可能
である。
【００６４】
前記（ｆ）歯科医院４を予約できるシステムは、
・利用者の希望日、希望歯科医院を入力することで、予約をその場で取ることが可能
・予約入力方法は、ペン入力、画面タッチキー入力、キーボード入力が可能であり、予約完了後には予約内容をプリントアウト、及び／または、記録媒体に入力し、利用者が保管し常に確認をすることが可能
である。
【００６５】
前記（ｇ）管理センター６２を直接呼び出せる機能は、
・呼出し機能は、電話、テレビ電話、インターフォン、ＬＡＮが可能であり、直接管理センター６２と会話可能
・呼び出し機能で直接歯科医院４の予約を行うことが可能
である。
【００６６】
前記（ｈ）歯科に対する疑問点等を質間し、回答をもらえるシステムは、
・質問事項の入力は、ペン入力、画面タッチキー入力、キーボード入力が可能であり、入力後は質問事項を管理センター６２へ送信し、管理センター６２から回答がもらえる
・質問事項を管理センター６２へ送信後、回答は後日に提携している歯科医院４で医師から直接回答が聞けるよう、提携している歯科医院４で管理センター６２から利用者の質問事項を読み出し可能
・さらに、利用者は、質問事項をプリントアウト、及び／または、記録媒体に入力し、歯科医院４に直接持参することが可能
・利用者が歯科医院４の予約を行った場合に、予約をいれた歯科医院４に自動的に利用者の質問事項を配信することが可能
・回答は、利用者が後日にブース２に再入場し、記録媒体を認証させることで、回答をモニター６６に表示し、プリントアウトが行える
・利用者は、予め、Ｅメールや携帯電話メールアドレスを登録し、後日に回答をもらえる
・回答内容は、例えば、治療したい歯を口腔内カメラ７４にて撮影し、データを管理センター６２へ送信しておく。利用者は、後日にどのような治療方法があり、なおかつ、自費、保険での見積もり提案をしてもらえ、治療方針に関してさらに詳しい情報を取得したい場合に、スライドショーや動画データなどで詳細説明が受けられ、納得した上で歯科医院４への予約が行える
である。
【００６７】
前記（ｉ）ブラッシング指導のシステムは、
・ブラッシングの仕方、ブラッシング時間の目安をモニター６６で指導可能
である。
【００６８】
（３）、利用者は、歯科医院４の受付を通ることなく、ブース２ヘ入ることができる。
【００６９】
（４）、利用者は、ＩＣカード等の記録媒体を購入することで、ブース２内へ入ることができる。
【００７０】
（５）、ブース２内へ入ると、ブース紹介がモニター６６及び音声装置７２で自動的に行われる。
【００７１】
（６）、利用者は、まず、歯牙の着色状態を把握するために、口腔内全体が撮影できる口腔内カメラ７４にて歯牙全体を撮影してデータを取得する。
【００７２】
（７）、記録画像から利用者自身の歯牙の色を確かめる為に、見本のカラーチャートと照らし合わせ、現状での利用者の歯牙の色を確認し、記録媒体ヘ取得データを保存する。
【００７３】
（８）、さらに、管理センター６２である歯科医院４に取得データを保存しておく。
【００７４】
（９）、次に、口腔内カメラ７４を使用して、利用者自身が気になる口腔内を撮影する。例えば、口腔内カメラ７４を使用する場合には、使い捨てのカバーを口腔内カメラ７４にセットしてから使用することで衛生的である。
【００７５】
（１０）、記録画像は、モニター６６ですぐに確認することが可能であり、また、画像をプリントすることが可能であり、さらに記録媒体や管理センター６２である歯科医院４に画像データを保存することが可能である。
【００７６】
（１１）、この時、利用者は、口腔内カメラ７４からの記録画像を見て生じた疑問点などの質問事項を、管理センター６２へ問い合わせることができる。
問い合わせ方法としては、
（ａ）モニター６６がテレビ電話となり、直接管理センター６２の医師とやり取りを行う
（ｂ）記録画像を管理センター６２へ送信し、ブース２内の電話で管理センター６２の医師とやり取りを行う
（ｃ）インターネット利用やＥメールなどでやり取りを行う
（ｄ）その他、記録画像を保存し、後日に歯科医院４にて歯科医師から直接回答をもらう
等の方法がある。
なお、管理センター６２に医師が不在の場合は、管理センター６２と提携している歯科医院４もしくは歯科医師に自動接続し、質問事項に対応可能とすることができる。
【００７７】
（１２）、その他、利用者は、審美歯科に興味を持っているため、審美歯科に関する情報収集をモニター６６からできるようにする。
【００７８】
（１３）、利用者は、予防・審美が行え、さらに利用者が通院可能な歯科医院４の紹介を参考にし、予約を行うことができる。
【００７９】
（１４）、利用者は、予約が完了した場合に、利用者の記録媒体ヘ予約データを記録し、さらに予約を行った歯科医院４にも予約データを転送し、利用者が予約日に予約した歯科医院に記録媒体を持参することで、診察を受けることができる。
【００８０】
（１５）、利用者は、記録媒体を利用して、ブース２内に設置した販売機３４で歯磨きセット３２を購入し、ブラッシングを行うことができる。
この場合に、例えば、
（ａ）歯磨きセット３２は、使い捨て、または、利用者が持ち帰り可能
（ｂ）歯磨き粉５４は、歯磨きセット３２の中に含める
（ｃ）また、歯磨き粉５４は、歯磨きセット３２の中に含めることなく、別売りとし、多種類を揃え、ためし使用が行なえる
とすることができる。
【００８１】
（１６）、さらに、利用者は、口腔内全体を撮影できる口腔内カメラ７４にてブラッシングの仕方を撮影し、記録画像を管理センター６２に転送することで、リアルタイムにブラッシング指導を受けることができる。
・ブラッシング指導は、アニメーションでの模範ブラッシング映像をモニター６６に流すことで、利用者はモニター６６を見ながらブラッシングを行うことも可能である。
【００８２】
なお、ブース２は、歯科医院４及び／または歯科医院４の近傍に設置するほか、後述するように、飲食店、ホテル、駅、商業施設、学校、会社、コンビニ等に設置することも可能である。また、管理センター６２は、ブース２を設置した歯科医院４の他に、後述するように、別途管理センター会社に設置することも可能である。
【００８３】
また、利用者は、ブース２内において、自分のニーズに合わせ、歯科情報提供、口腔衛生指導を利用することが可能である。ブース２での歯科情報提供や口腔衛生指導の利用、歯磨きセット３２の購入は、記録媒体を利用しての購入の他、現金購入も可能である。ブース２ヘの入場は、記録媒体を購入した者に限定することで、不用意な利用者を排除することが可能である。しかし、入場を自由にすることも可能である。
【００８４】
このように、デンタルコミュニケーションブース２及びデンタルコミュニケーションシステム５８は、図１２に示す如く、コミュニケーションツール６０及び管理センター６２によって、利用者と歯科医院４との間で、歯科情報提供、口腔衛生指導、口腔内各種データ、歯科医院紹介、患者紹介、予約状況、予約入力を行うことができる。
【００８５】
このため、このデンタルコミュニケーションブース２及びデンタルコミュニケーションシステム５８は、利用者のプライバシーが保てる空間１６を利用して、歯科医院４に通院することなく気軽にウ蝕、歯周病、審美の相談を行うことができ、さらには利用者自身の口腔内現状や予防・審美方法を医師の一方的な説明によって理解させられるのではなく、利用者自らが口腔内カメラ７４等を使用することや、取得データをもとに質問することで理解を深め、なおかつ、予防・審美の知識を高めることができる。
【００８６】
次に、ブース２を、歯科医院４及び／または歯科医院４の近傍以外の、飲食店等の施設に設置した場合について説明する。
【００８７】
デンタルコミュニケーションブース２は、図１・図３〜図６に示す如く、利用者のプライバシーが保てる環境状態を提供できる空間１６において、利用者のニーズに合わせた歯科情報提供、口腔衛生指導、歯科医院４の予約を行うものであり、うがい用水洗２６〜椅子４２を設置している。
【００８８】
デンタルコミュニケーションシステム５８は、図１３に示す如く、ブース２に双方向通信可能なコミュニケーションツール６０を設け、このコミュニケーションツール６０の他方を接続される管理センター６２を設け、歯科医院４に双方向通信可能な端末９２を設けている。ブース２は、歯科医院４以外の、図示しないホテル、駅、商業施設、学校、会社、コンビニ、飲食店等、例えば飲食店に設置される。管理センター６２は、歯科医院４と別の図示しない管理センター会社に設置される。コミュニケーションツール６０と管理センター６２と端末９２とは、電気通信回線６４を介して接続している。
【００８９】
このデンタルコミュニケーションブース２及びデンタルコミュニケーションシステム５８は、以下のように構成される。
【００９０】
（１）、プライバシーを保てる空間１６を備えたブース２を、飲食店内に設置する。ブース２は、ボックスのように全体を覆い隠すタイプの他、パーティションで区切るタイプ、部屋として孤立させるタイプなど、プライバシーが保たれる空間１６を造ることが可能であれば、作り出す方法は上記に限定されない。
また、ブース２を飲食店内に設置する場合には、飲食店とブース２との入口を分け、気軽に利用することができるように設置する。
【００９１】
（２）、ブース２内には、
（ａ）システム紹介を行うモニター６６等の設備
（ｂ）歯磨きが行えるよう、うがい用水洗２６等の設備
（ｃ）口腔内カメラ７４
（ｄ）口臭チェックを行える口臭チェッカー７６
（ｅ）口腔内全体を撮影できるカメラ
（ｆ）歯科医院４を予約できるシステム
（ｇ）管理センター６２を直接呼び出せる機能
（ｈ）歯科に対する疑問点等を質問し、回答をもらえるシステム
（ｉ）ブラッシング指導のシステム
、を装備している。
【００９２】
前記（ａ）デンタルコミュニケーションシステム５８の紹介を行う映像案内を表示し、及び／または、音声案内を流す設備は、
・利用者Ｂがブース２内に入ると、自動的に音声案内、映像案内を行う
・映像案内は、ブース２内に設置してあるモニター６６において上映
・モニター６６は、洗面台の近傍に設置することが可能
・モニター６６は、ブース紹介映像を上映するほか、口腔内カメラ７４の画像を映し出すことも可能であり、さらに、管理センター６２との情報通信手段としても利用することが可能
である。
【００９３】
前記（ｂ）歯磨きが行えるよう、うがい用水洗２６、鉢２８、鏡３０、うがい用コップ３６、ゴミ箱４０、歯ブラシ５２、歯磨き粉５４等の設備は、
・歯ブラシ５２、歯磨き粉５４等は、販売機で販売することが可能
・歯ブラシ５２、歯磨き粉５４、手鏡４４を一体にした歯磨きセット３２は、販売機３４で購入することも可能
・うがい用コップ３６は、紙コップにすることで、使い捨て可能且つ衛生的
・歯ブラシ５２は、多種製品を販売することが可能。さらに、歯磨き粉５４は、１回の使いきりタイプにし、多種製品を揃え、実際に試した後で、大きいサイズの製品を購入可能
である。
【００９４】
前記（ｃ）口腔内カメラ７４は、
・利用者自身が自由に操作が可能
・口腔内カメラ７４を使用するときには、使い捨てのカバーをカメラにセットしてから使用することで衛生的
・口腔内カメラ７４の画像は、モニター６６に瞬時に映し出され、その場で利用者自身が口腔内を確認可能
・映し出された画像を記録媒体に保存することが可能であり、また、記録画像をその場でプリンタ７８により印刷し、電気通信回線６４を利用して管理センター６２へ送信することも可能
・さらに、保存した利用者の口腔内画像を、ブース２と提携している歯科医院４で読み出すことが可能
である。
【００９５】
前記（ｄ）口臭チェッカー７６は、
・口臭チェックの結果をその場で印刷することが可能
・口臭チェックの結果を管理センター６２へ送信することも可能
・口臭チェックの結果を記録媒体に保存し、ブース２と提携している歯科医院４で記録媒体内に保存されたデータを読み取ることが可能
である。
【００９６】
前記（ｅ）口腔内全体を撮影できるカメラ（ブラッシング指導・歯列チェック・歯牙着色チェック）は、
・記録画像を管理センター６２へ送信することで、管理センター６２に常駐の医師・衛生士、もしくは映像によって、ブラッシング指導をモニター６６を通して行える
・記録画像から利用者自身の歯牙の色を自動判断、もしくは管理センター６２に常駐の医師・衛生士によって判断することができ、ホワイトニングヘの認識を高めることが可能
である。
【００９７】
前記（ｆ）歯科医院４を予約できるシステムには、その１：歯科医院４に直接予約をいれる方法と、その２：管理センター６２を介して予約をいれる方法とがある。
その１：歯科医院４に直接予約をいれる方法は、
・利用者は、希望する歯科医院４の情報を管理センター６２から提供してもらい、管理センター６２から提供された歯科医院４に直接予約を行うことが可能
・予約方法は、ブース２内に設置されているＴＶ電話、インターホン、電話、ＬＡＮ等で直接歯科医院２に予約を行うことが可能
・予約は、ペン入力、画面タッチキー入力、キーボード入力を用いて、提供された歯科医院４へ直接予約を行うことができ、完了後には予約内容をプリントアウト、及び／または、記録媒体に入力し、利用者が保管し確認をすることが可能
である。
その２：管理センター６２を介して予約をいれる方法は、
・利用者は、希望日、希望歯科医院を入力することで、管理センター６２が希望する歯科医院４に予約を入れることが可能
・管理センター６２に直接電話等して予約することも可能、また、管理センター６２から提供のあった歯科医院に直接電話してもよい
・予約入力方法は、ペン入力、画面タッチキー入力、キーボード入力が可能であり、予約完了後には予約内容をプリントアウト、及び／または、記録媒体に入力し、利用者が保管して常に確認をすることが可能
である。
【００９８】
前記（ｇ）管理センター６２を直接呼び出せる機能は、
・呼出し機能は、電話、テレビ電話、インターフォン、ＬＡＮが可能であり、直接管理センター６２と会話可能
・呼び出し機能で直接歯科医院４の予約を行うことが可能
である。
【００９９】
前記（ｈ）歯科に対する疑問点等を質間し、回答をもらえるシステムは、
・質問事項の入力は、ペン入力、画面タッチキー入力、キーボード入力が可能であり、入力後は質問事項を管理センター６２へ送信し、管理センター６２から回答がもらえる
・質問事項を管理センター６２へ送信後、回答は後日に提携している歯科医院４で医師から直接回答が聞けるよう、提携している歯科医院４で管理センター６２から利用者の質問事項を読み出し可能
・さらに、利用者は、質問事項をプリントアウト、及び／または、記録媒体に入力し、歯科医院４に直接持参することが可能
・利用者が歯科医院４の予約を行った場合に、予約をいれた歯科医院４に自動的に利用者の質問事項を配信することが可能
・回答は、利用者が後日にブース２に再入場し、記録媒体を認証させることで、回答をモニター６６に表示し、プリントアウトが行える
・利用者は、予め、Ｅメールや携帯電話メールアドレスを登録し、後日に回答をもらえる
・回答内容は、例えば、治療したい歯を口腔内カメラ７４にて撮影し、データを管理センター６２へ送信しておく。利用者は、後日にどのような治療方法があり、なおかつ、自費、保険での見積もり提案をしてもらえ、治療方針に関してさらに詳しい情報を取得したい場合には、スライドショーや動画データなどで詳細説明が受けられ、納得した上で歯科医院４への予約が行える
である。
【０１００】
前記（ｉ）ブラッシング指導のシステムは、
・ブラッシングの仕方、ブラッシング時間の目安をモニター６６で指導可能
である。
【０１０１】
（３）、利用者は、飲食店内に設置してあるブース２へ入場するために、記録媒体を購入する。
【０１０２】
（４）、ブース２内へ入ると、ブース紹介がモニター６６及び音声装置７２で自動的に行われる。
【０１０３】
（５）、記録媒体を購入した利用者は、ブース２へ入場し、ブース２内の入力装置７０近傍に設置されている記録媒体受付機（図示せず）に入場前に購入した記録媒体を挿入し、認証させる。
【０１０４】
（６）、利用者は、記録媒体の認証により、各種操作を行うことができる。
【０１０５】
（７）、利用者は、まず、歯牙の着色状態を把握するために、口腔内全体が撮影できる口腔内カメラ７４にて歯牙全体を撮影してデータを取得する。
【０１０６】
（８）、記録画像から利用者自身の歯牙の色を確かめる為に、見本のカラーチャートと照らし合わせ、現状での利用者の歯牙の色を確認し、記録媒体ヘ取得データを保存する。
【０１０７】
（９）、さらに、管理センター６２に取得データを送信して保存しておく。
【０１０８】
（１０）、次に、口腔内カメラ７４を使用して、利用者自身が気になる口腔内を撮影する。例えば、口腔内カメラ７４を使用する場合には、使い捨てのカバーを口腔内カメラ７４にセットしてから使用することで衛生的である。
【０１０９】
（１１）、記録画像は、モニター６６ですぐに確認することが可能であり、また、画像をプリントすることが可能であり、さらにＩＣカードや管理センター６２である歯科医院４に画像データを保存することが可能である。
【０１１０】
（１２）、この時、利用者は、口腔内カメラ７４からの記録画像を見て生じた疑問点などの質問事項を、管理センター６２へ問い合わせることができる。
問い合わせ方法としては、
（ａ）モニター６６がテレビ電話となり、直接管理センター６２の医師とやり取りを行う
（ｂ）記録画像を管理センター６２へ送信し、ブース２内の電話で管理センター６２の医師とやり取りを行う
（ｃ）インターネット利用やＥメールなどでやり取りを行う
（ｄ）その他、記録画像を保存し、後日に歯科医院４にて歯科医師から直接回答をもらう
等の方法がある。
なお、管理センター６２に医師が不在の場合は、管理センター６２と提携している歯科医院４もしくは歯科医師に自動接続し、質問事項に対応可能とすることができる。
【０１１１】
（１３）、その他、利用者は、審美歯科に興味を持っているため、審美歯科に関する情報収集をモニター６６からできるようにする。
【０１１２】
（１４）、利用者は、予防・審美が行え、さらに利用者が通院可能な歯科医院４の紹介を参考にし、ブース２内に設置してある電話等で管理センター６２が提供した歯科医院４に直接予約を行うことができる。
【０１１３】
（１５）、利用者は、予約が完了した場合に、利用者が予約日に予約した歯科医院に記録媒体を持参することで、診察を受けることができる。
【０１１４】
（１６）、利用者は、記録媒体を利用して、ブース２内に設置した販売機３４で歯磨きセット３２を購入し、ブラッシングを行うことができる。
この場合に、例えば、
（ａ）歯磨きセット３２は、使い捨て、または、利用者が持ち帰り可能
（ｂ）歯磨き粉５４は、歯磨きセット３２の中に含める
（ｃ）また、歯磨き粉５４は、歯磨きセット３２の中に含めることなく、別売りとし、多種類を揃え、ためし使用が行なえる
とすることができる。
【０１１５】
（１７）、さらに、利用者は、口腔内全体を撮影できる口腔内カメラ７４にてブラッシングの仕方を撮影し、記録画像を管理センター６２に転送することで、リアルタイムにブラッシング指導を受けることができる。
・ブラッシング指導は、アニメーションでの模範ブラッシング映像をモニター６６に流すことで、利用者はモニター６６を見ながらブラッシングを行うことも可能である。
【０１１６】
なお、利用者は、ブース２内において、自分のニーズに合わせ、歯科情報提供、口腔衛生指導を利用することが可能である。ブース２での歯科情報提供や口腔衛生指導の利用、歯磨きセット３２の購入は、記録媒体を利用しての購入の他、現金購入も可能である。ブース２ヘの入場は、記録媒体を購入した者に限定することで、不用意な利用者を排除することが可能である。しかし、入場を自由にすることも可能である。
【０１１７】
このように、このデンタルコミュニケーションブース２及びデンタルコミュニケーションシステム５８は、図１２に示す如く、コミュニケーションツール６０及び管理センター６２によって、利用者と歯科医院４との間で、歯科情報提供、口腔衛生指導、口腔内各種データ、歯科医院紹介、患者紹介、予約状況、予約入力を行うことができる。
【０１１８】
このため、このデンタルコミュニケーションブース２及びデンタルコミュニケーションシステム５８は、利用者のプライバシーが保てる空間１６を利用して、歯科医院４に通院することなく気軽にウ蝕、歯周病、審美の相談を行うことができ、さらには利用者自身の口腔内現状や予防・審美方法を医師の一方的な説明によって理解させられるのではなく、利用者自らが口腔内カメラ７４等を使用することや、取得データをもとに質問することで理解を深め、なおかつ、予防・審美の知識を高めることができる。
【産業上の利用可能性】
【０１１９】
この発明は、歯科医院に通院することなく、患者自身が口腔内の気になる疾患に対して質問したり、口腔内カメラによる診断を行うことで、気軽にウ触や歯周病の相談を行うことが可能であり、さらに口腔ケアの知識向上、予防・審美歯科に対する意識付けを行うことが可能であり、歯科以外の診療についても適用することができる。
【図面の簡単な説明】
【０１２０】
【図１】実施例を示すデンタルコミュニケーションブースの斜視図である。
【図２】デンタルコミュニケーションブースを設置した歯科医院の斜視図である。
【図３】パーティションで区切って複数並設したデンタルコミュニケーションブースの斜視図である。
【図４】パーティションで区切って独立したデンタルコミュニケーションブースの斜視図である。
【図５】歯磨きセットの分解斜視図である。
【図６】デンタルコミュニケーションブース内の設備の配置説明図である。
【図７】デンタルコミュニケーションブースを歯科医院内に設置した場合のデンタルコミュニケーションシステムのブロック図である。
【図８】デンタルコミュニケーションシステムの制御のフローチャートである。
【図９】図８に続く制御のフローチャートである。
【図１０】図９に続く制御のフローチャートである。
【図１１】歯牙の着色状態をチェックする際のモニターの表示説明図である。
【図１２】デンタルコミュニケーションシステムのデータ処理のブロック図である。
【図１３】デンタルコミュニケーションブースを飲食店内に設置した場合のデンタルコミュニケーションシステムのブロック図である。
【符号の説明】
【０１２１】
２  デンタルコミュニケーションブース
４  歯科医院
１６  空間
２６  うがい用水洗
２８  鉢
３０  鏡
３２  歯磨きセット
３４  販売機
３６  うがい用コップ
３８  供給機
４０  ゴミ箱
４２  椅子
５８  デンタルコミュニケーションシステム
６０  コミュニケーションツール
６２  管理センター
６４  電気通信回線
６６  モニター
６８  カメラ
７０  入力装置
７２  音声装置
７４  口腔内カメラ
７６  口臭チェッカー
【図１】
2006126996.tif 000003
【図２】
2006126996.tif 000004
【図３】
2006126996.tif 000005
【図４】
2006126996.tif 000006
【図５】
2006126996.tif 000007
【図６】
2006126996.tif 000008
【図７】
2006126996.tif 000009
【図８】
2006126996.tif 000010
【図９】
2006126996.tif 000011
【図１０】
2006126996.tif 000012
【図１１】
2006126996.tif 000013
【図１２】
2006126996.tif 000014
【図１３】
2006126996.tif 000015